(57)【特許請求の範囲】
【請求項１】
ファイル用紙等に設けた綴じ孔に綴じ紐を挿し通すことによって前記ファイル用紙等を綴じ込むことができるようにしたものにおいて、
綴じ紐を綴じ孔に挿し通す際に、ファイル用紙等の綴じ側の縁部に向く綴じ紐の下向面に凸形に膨らませた湾曲部を形成するとともに、ファイル用紙等の反綴じ側の縁部に向く上向面に前記下向面に向かって窪ませた肉抜き部を形成していることを特徴とするファイル。
【請求項２】
湾曲部が、前記下向面において綴じ紐の基端側から先端側に連続して延びる湾曲面であることを特徴とする請求項１記載のファイル。
【請求項３】
湾曲面における綴じ紐の横断面形状が、略半円形であることを特徴とする請求項２記載のファイル。
【請求項４】
肉抜き部が、綴じ紐の巾方向略中央部において基端側から先端側に連続して延びる溝であることを特徴とする請求項１、２又は３記載のファイル。
【請求項５】
肉抜き部が、綴じ紐の巾方向略中央部において基端側から先端側に連続して延びる溝であって、その溝の横断面形状が前記湾曲面の横断面形状と中心を共有する略半円形であることを特徴とする請求項３記載のファイル。
【請求項６】
綴じ紐の下向面における側縁部に、綴じ紐の長手方向に沿って所定間隔で刻み目を設けていることを特徴とする請求項１、２、３、４又は５記載のファイル。
【請求項７】
中央部を境にして谷折りに折り畳み又は平面的に展開可能な表紙を具備するとともに、その表紙のファイル綴じ側の面にファイル用紙等を綴じ込むための綴じ止め部を形成し、この綴じ止め部を、前記中央部を挟んで相互に対向する位置にそれぞれ配置される前記綴じ紐とこの綴じ紐を挿し通し得るガイド孔とから構成して、綴じ紐をファイル用紙等の綴じ孔と前記ガイド孔とに挿し通すことによってファイル用紙等を綴じ込み得るようにしていることを特徴とする請求項１、２、３、４、５又は６記載のファイル。
【請求項８】
綴じ止め部を前記表紙の中央部に沿って所定距離離れた２箇所に形成し、綴じ紐とガイド孔とを設ける表紙上の位置が２つの綴じ止め部において前記中央部を挟んで相互に逆の関係となるようにしていることを特徴とする請求項７記載のファイル。
【請求項９】
一対の綴じ止め部を、綴じ紐同士及びガイド孔同士がそれぞれ前記表紙の中央部を挟んで相互に対向するように形成し、表紙の中央部にファイル用紙等を差し挟んだ状態で同一の綴じ孔に前記２つの綴じ紐をそれらが交差するように挿し通し得るようにして、このような一対の綴じ止め部を、表紙の中央部に沿って複数形成していることを特徴とする請求項７記載のファイル。
【請求項１０】
綴じ止め部を、前記中央部において少なくとも表紙の両端部に形成していることを特徴とする請求項７、８又は９記載のファイル。
【発明の詳細な説明】
【０００１】
【発明の属する技術分野】
本発明は、ファイル用紙等を内部に挟み、綴じ紐を用いてこのファイル用紙等を綴じ込んで使用するファイルに関するものである。
【０００２】
【従来の技術】
従来、ファイル用紙等に所定間隔で開けた綴じ孔に綴じ紐を挿し通すことによって、そのファイル用紙等を綴じ込むことができるファイルが、各種知られている。このようなファイルにおいては、綴じ紐が略矩形の角張った横断面形状を有しているのが通例である。
【０００３】
【発明が解決しようとする課題】
ところが、このような綴じ紐をファイル用紙等綴じ孔に抜き挿しする場合、綴じ紐の角が綴じ孔の周縁部に擦れ合うこととなり、繰り返し抜き挿ししているうちに綴じ孔の周縁部が切れてファイル用紙等を破損してしまうという不具合が生じる。このような不具合を解消するために、綴じ紐を、全体的に丸みを持った横断面形状を有するものとすることも考えられるが、このようにすると綴じ紐が全体的に分厚くなって、ファイル用紙等の綴じ孔に抜き挿しする際における綴じ紐の湾曲させ易さが損なわれるという不具合が生じることとなる。
【０００４】
【課題を解決するための手段】
本発明は、以上のような不具合に鑑みて、綴じ紐をファイル用紙等の綴じ孔に抜き挿しする際に、綴じ孔の周縁部が切れにくく、しかも長手方向へ湾曲させ易い綴じ紐を有するファイルを構成することとした。
【０００５】
【発明の実施の形態】
すなわち、本発明のファイルは、ファイル用紙等に設けた綴じ孔に綴じ紐を挿し通すことによって前記ファイル用紙等を綴じ込むことができるようにしたものにおいて、綴じ紐を綴じ孔に挿し通す際に、ファイル用紙等の綴じ側の縁部に向く綴じ紐の下向面に凸形に膨らませた湾曲部を形成するとともに、ファイル用紙等の反綴じ側の縁部に向く上向面に前記下向面に向かって窪ませた肉抜き部を形成していることを特徴とする。
【０００６】
このようなものであれば、綴じ紐に角張った部分が形成されないので、綴じ孔の周縁部と綴じ紐とが擦れ合っても、綴じ孔が切れにくく、ファイル用紙等の破損を有効に防止することができる。特に、ファイルを机等に広げた状態でファイル用紙等を抜き差しする際に、主に綴じ孔の周縁部と擦れ合い易い綴じ紐の下向面に湾曲部を形成しているので、綴じ孔の周縁部と綴じ紐との接触領域が大きくなり、綴じ孔をより切れにくくするとともに、綴じ紐を滑らかに抜き挿しすることができることとなる。しかも、綴じ紐の上向面に肉抜き部を形成しているので、綴じ紐が分厚くならず、綴じ紐を湾曲させ易くして綴じ孔への抜き挿しを容易なものとすることもできる。
【０００７】
このようなファイルに綴じ込むファイル用紙等の枚数に拘わらず、綴じ紐の抜き挿しを容易なものとするためには、湾曲部を、前記下向面において綴じ紐の基端側から先端側に連続して延びる湾曲面とすることが望ましい。
また、綴じ紐と綴じ孔との接触領域が小さいと、その部位に集中的な力が加わるため綴じ孔の周縁部が切れ易くなるが、綴じ紐の長手方向への湾曲のさせ易さを維持したまま、綴じ孔の周縁部との滑らかな接触領域を大きくし、綴じ孔がより切れにくいようにするためには、湾曲面における綴じ紐の横断面形状を、略半円形とすることが好ましい。
【０００８】
さらに、綴じ紐がその長手方向には湾曲し易く、側方には曲がりにくくして、綴じ孔への抜き挿しをよりスムーズに行い得るようにするためには、肉抜き部が、綴じ紐の巾方向略中央部において基端側から先端側に連続して延びる溝であることが有効である。特に、綴じ紐の肉厚を長手方向に亘って略全域に均質なものとし、さらに横方向に曲がりにくく丈夫なものとするためには、肉抜き部たる溝の横断面形状が前記湾曲面の横断面形状と中心を共有する略半円形であることが望ましい。
【０００９】
また、ファイル用紙等の出し入れに干渉せず、綴じ紐をその長手方向にさらに湾曲させ易くするためには、綴じ紐の下向面における側縁部に、綴じ紐の長手方向に沿って所定間隔で刻み目を設けてることが望ましい。また、このようにすることで、綴じ込んだファイル用紙等の綴じ孔の周縁部がその刻み目に引っ掛かるので、この刻み目をファイル用紙等の抜け落ち防止に利用することも可能となる。
【００１０】
また、ファイル用紙等を上方から押えて綴じる綴じ具等を使用せずに、綴じ紐の余長だけでファイル用紙等を綴じ込むことができるファイルの具体的な形態としては、中央部を境にして谷折りに折り畳み又は平面的に展開可能な表紙を具備するとともに、その表紙のファイル綴じ側の面にファイル用紙等を綴じ込むための綴じ止め部を形成し、この綴じ止め部を、前記中央部を挟んで相互に対向する位置にそれぞれ配置される前記綴じ紐とこの綴じ紐を挿し通し得るガイド孔とから構成して、綴じ紐をファイル用紙等の綴じ孔と前記ガイド孔とに挿し通すことによってファイル用紙等を綴じ込み得るようにしているものが挙げられる。
【００１１】
このようなファイルにおいて、特に少ない綴じ止め箇所でファイル用紙等の確実な綴じ止め状態を得ることができ、安価な材料費で製造できるようにするためには、綴じ止め部を前記表紙の中央部に沿って所定距離離れた２箇所に形成し、綴じ紐とガイド孔とを設ける表紙上の位置が２つの綴じ止め部において前記中央部を挟んで相互に逆の関係となるようにしていることをが好ましい。特にこのようにすることで、一つの綴じ孔には１本の綴じ紐のみが挿し込まれることとなるので、綴じ紐の太さを太くして強度を持たせることが可能となり、多数枚のファイル用紙等を綴じてもそれらが垂れにくいものとすることができる。
【００１２】
また、さらに確実にファイル用紙等を綴じることができ、しかもファイル用紙等の出し入れを容易なものとするためには、一対の綴じ止め部を、綴じ紐同士及びガイド孔同士がそれぞれ前記表紙の中央部を挟んで相互に対向するように形成し、表紙の中央部にファイル用紙等を差し挟んだ状態で同一の綴じ孔に前記２つの綴じ紐をそれらが交差するように挿し通し得るようにして、このような一対の綴じ止め部を、表紙の中央部に沿って複数形成することが望ましい。
【００１３】
さらに、書類等を内部に差し込んで使用される透明袋体等の撓み易いものをファイルに綴じる場合に、その撓みを有効に防止し得るようにするためには、綴じ止め部を、前記中央部において少なくとも表紙の両端部に形成することが効果的である。
【００１４】
【実施例】
以下、本発明の実施例を、図面を参照して説明する。
（第１実施例）
本発明の第１実施例として図１〜図６に示すファイルＦ１は、ファイル用紙６等を挟みそれを綴じて使用されるもので、その表面及び裏面を形成し内側にファイル用紙６を挟み込む表紙１と、その表紙１のファイル綴じ側の面１１の略中央部１３に沿って設けた綴じ具２とを備えてなるものである。
【００１５】
表紙は、図１及び図２に示すように、その中央部１３の近傍に設けた一対の谷折り線１４を境にして谷折りに折り畳むことができ、ファイル用紙６を抜き差し等する場合に平面的に展開し得るようにしたものであり、折り畳み状態で反ファイル綴じ側の面１２を表出させている。
綴じ具２は、図１〜図４に示すように、前記谷折り線１４に沿って表紙１に取り付けた基部３と、この基部３に連続して設けられ前記谷折り線１４に沿って所定間隔だけ離れた位置に一対のガイド孔４３を開けた挟み板部４と、基部３から一方のガイド孔４３に対応して挟み板部４とは反対側に延びるように設けた綴じ紐５とを具備してなるものであり、これら基部３、挟み板部４及び綴じ紐５を合成樹脂素材の一体成形により形成したものである。このような構成の綴じ具２を、本実施例では前記表紙１の中央部１３を挟んで相互に対向するように設けており、その際、一方の綴じ具２の綴じ紐５が、他方の綴じ具２において綴じ紐５に対応していない側のガイド孔４３と対をなすようにしている。しかして、綴じ紐５及びそれと対をなすガイド孔４３によって、綴じ止め部Ｘ１を構成している。
【００１６】
基部３は、その裏面に多数の小さな突起３３を有する概略薄板状のもので、その突起３３を融かすことにより表紙１のファイル綴じ側の面１１の谷折り線１４に沿って貼り着けたものである。また、挟み板部４も薄板状のものであって、一方の側縁部４１を基部３の中央部１３側の側縁部３１に連続させている。そして、それら側縁部３１、４１間を他の部位よりも若干薄肉にして樹脂ヒンジ機能を付与するとともに、挟み板部４の側縁部４１に沿って切欠４２を設け、基部３と挟み板部４とが連続する巾寸法を小さくすることによって、挟み板部４を基部３と面一となる位置から重ね合わされる位置まで折り曲げられるようにしている。また、この挟み板部４は、基部３に対して起立した状態で表紙１の中央部１３を挟んで対向する挟み板部４との間に、綴じ側の縁部６１に予め綴じ孔６３を設けたファイル用紙６を差し込み得るようにしたもので、その綴じ孔６３に対応する位置に前記一対のガイド孔４３を設けている。
【００１７】
綴じ紐５は、図１〜図６に示すように、基端５１を基部３の前記ガイド孔４３のうち一方に対応する位置において挟み板部４とは反対側に連続して設定し、先端５２を表紙１の中央部１３側とは反対側に向けて延ばしたものである。そして、前記基端５１を他の部位よりも薄肉にして、この綴じ紐５を前記中央部１３側に向かって折り曲げられるようにしている。また、そのように中央部１３側に向けて折り曲げた状態で、表紙１のファイル綴じ側の面１１に向く綴じ紐５の下向面を、横断面形状が図５に示す概略半円形となるように凸形に膨らませた湾曲部たる湾曲面５３として、その形状を基端５１側から先端５２側に連続的に形成している。さらに、その状態で、綴じ紐５の上向面５４側において、巾方向略中心部に基端５１側から先端５２側に連続して延びる横断面形状が略半円形の溝５５を設け、この溝５５によって綴じ紐５を薄肉とする肉抜き部を構成するようにしている。なお、肉抜き部たる溝５５を形成した綴じ紐５の部位における厚さが略均一となるように、図５及び図６に示すように、溝５５の半円形状は、湾曲面５３と中心ｎを共有するようにしている。また、前記上向面５４における側縁部５４ａには、基端５１側から長手方向の中間位置まで所定間隔で凹凸形状を連続させた刻み目５６を形成している。なお、綴じ紐５の先端５２は、丸みを付けて徐々に先細りとなるようにしている。
【００１８】
以上のような構成の本実施例のファイルＦ１は、部品点数を有効に削減しつつファイルＦ１自体の厚みを薄くして、しかもファイル用紙６に不必要な折り目を付けることなく、ファイルとしての適正な機能を発揮し得るものである。
すなわち、まず、相対向する綴じ具２の挟み板部４間に所定間隔で綴じ側の縁部６１に沿って綴じ孔６３を設けたファイル用紙６をその綴じ側の縁部６１を表紙１のファイル綴じ側の面１１に向けて挟み込む。次に、一方の綴じ具２の綴じ紐５を湾曲させてその先端５２側から当該綴じ具２の対応するガイド孔４３、ファイル用紙６の綴じ孔６３、その綴じ紐５と対をなす他方の綴じ具２のガイド孔４３の順に挿し通す。また、他方の綴じ具２の綴じ紐５も同様にして反対側に挿し通すことにより、ファイル用紙６が２箇所で綴じられることとなる。また、既にファイル用紙６を綴じた状態でファイルＦ１を見開きにし、その見開いたページからファイル用紙６を抜き差しする場合には、一方の綴じ紐５を他方のガイド孔４３及び他方側に開かれているファイル用紙６の綴じ孔６３から引き抜き、他方の綴じ紐５も同様に引き抜いて、これら綴じ紐５の先端５２が上方に開放された状態でファイル用紙６を追加したり抜き出すなどして、再び上記と同様にしてファイル用紙６を綴じ直すことができる。
【００１９】
その際、湾曲させた綴じ紐５において、ファイル用紙６の綴じ側の縁部６１に向いている下向面に、凸形に膨らむ湾曲部たる湾曲面５３を形成し、綴じ紐５に角張った部位がないようにしているので、綴じ紐５と綴じ孔６３の周縁部６３ａとが擦れ合っても綴じ孔６３が切れてしまうことがなく、ファイル用紙６の破損を有効に防止することができる。しかも、綴じ紐５の上向面５４には、湾曲面５３側に向かって窪ませた肉抜き部たる溝５５を設けているので、綴じ紐５が全体的に肉厚とならず、強度を維持したまま長手方向に湾曲させ易くすることができる。
【００２０】
また、この湾曲面５３は、綴じ紐５の基端５１側から先端５２側に連続して設けたものであるため、このファイルＦ１に綴じるファイル用紙６の枚数を問わずに、綴じ紐５を綴じ孔６３に対してスムーズに抜き挿しすることが可能である。そのうえ、湾曲面５３の横断面形状が、略半円形となるようにしているので、綴じ紐５と綴じ孔６３の周縁部６３ａとの接触領域を大きくすることができ、綴じ紐５の湾曲させ易さを維持したまま、綴じ紐５により周縁部６３ａに加わる力を分散させて綴じ孔６３の切れにくさを向上することができる。
【００２１】
一方、前記肉抜き部を構成する溝５５は、綴じ紐５の基端５１側から先端５２側に連続的に設けたものであり、前記湾曲面５３と断面形状の中心ｎを共有する略半円形のものであるので、綴じ紐５の肉厚が略均質となり、綴じ紐５を長手方向には湾曲させ易く、側方には曲がりにくく、また折れ曲がり癖が付きにくいものとして、綴じ孔６３やガイド孔４３への抜き挿しをさらに容易なものとすることができ、長期に亘る使用にも適したものとすることができる。
【００２２】
また、綴じ紐５の前記上向面５４の側縁部５４ａには、その長手方向に沿って連続する刻み目５６を設けているので、綴じ紐５を長手方向にさらに湾曲させ易いものとすることができる。しかも、綴じ紐５を綴じ孔６３やガイド孔４３に対して抜き挿しする場合には、図５に模式的な断面図で示すように、主に綴じ紐５の湾曲面５３が綴じ孔６３等の周縁部６３ａに接触するため、このように上向面５４側に刻み目５６を形成してもその抜き挿しに障害とはならない。その一方で、ファイル用紙６を綴じた状態では、対向側に折り曲げて湾曲された綴じ紐５は自身の弾性により表紙１の対向側のファイル綴じ側の面１１からやや浮上した状態にあるため、図６に模式的な断面図で示すように、刻み目５６がガイド孔４３等の周縁部４３ａのうちの上方に引っ掛かることとなり、一旦綴じたファイル用紙６が容易には抜け落ちないようにすることができる。
【００２３】
さらに、本実施例のファイルＦ１は、表紙１の中央部１３を挟んで対向位置にある綴じ紐５とガイド孔４３とから構成される綴じ止め部Ｘ１を２箇所だけに設定し、しかもそれら綴じ止め部Ｘ１において綴じ紐５とガイド孔４３を設ける位置を前記中央部１３を挟んで相互に逆の関係となるようにして、２本の綴じ紐５が互いに反対側から延びてファイル用紙６を綴じるようにしているので、非常に簡単に且つ確実にファイル用紙６を綴じることができるものである。特に、このファイルＦ１では、綴じ紐５を２本のみ有するものであり、一つの綴じ孔６３にはそれぞれ１本の綴じ紐５しか挿し通されることがないので、綴じ紐５を比較的太いものとしても綴じ孔６３への挿し通しには不都合が生じず、材料費を低く抑えられるだけでなく、多数のファイル用紙６を綴じてもそれらが垂れにくいものとすることが可能である。
【００２４】
（第２実施例）
本発明の第２実施例として、図７及び図８に示すファイルＦ２は、前記第１実施例のファイルＦ１と同様の表紙２０１を具備し、そのファイル綴じ側の面２１１に谷折り線２１４に沿って中央部２１３を挟んで対向する位置に一対の綴じ具２０２を配置したもので、各綴じ具２０２に２本の綴じ紐２０５を設けた構成のものである。
【００２５】
この綴じ具２０２は、前記第１実施例のものと同様の基部２０３と挟み板部２０４とを具備しており、挟み板部２０４に設けた一対のガイド孔２４３に対応して基部２０３の挟み板部２０４とは反対側にそれぞれ設けたものである。そして、各綴じ紐２０５と中央部２１３を挟んで対向位置に設けられたガイド孔２４３とによって、合計４つの綴じ止め部Ｘ２を構成している。すなわち、一対の綴じ止め部Ｘ２が表紙２０１の中央部２１３を挟んで相互に対向するように形成されることとなり、このような一対の綴じ止め部Ｘ２を前記中央部２１３に沿って２箇所に設けていることとなる。なお、これら各綴じ紐２０５、挟み板部２０４、基部２０３及び表紙２０１の構成は、前記第１実施例における各部材と同一の構成を有しているので、ここでは詳細な説明を省略するものとする。
【００２６】
しかして、このような構成からなる本実施例のファイルＦ２では、対向する一対の綴じ止め部Ｘ２において、互いに逆方向から延びる綴じ紐２０５が共通の綴じ孔６３に対して交差するように挿し通されるので、ファイル用紙６をより確実に綴じ込むことが可能である。また、既にファイル用紙６を綴じた状態でファイルＦ２を見開きにし、その見開いたページからファイル用紙６を抜き差しする場合には、一対の綴じ紐２０５をそれぞれ他方のガイド孔２４３及び綴じ孔６３から引き抜き綴じ紐２０５の先端２５２が上方に開放された状態にすると、一方のガイド孔２４３及び綴じ孔６３にはそれぞれ綴じ紐２０５が挿し通された状態にあるので、その綴じ紐２０５の先端２５２からファイル用紙６を引き抜いたり追加するなどの作業を極めて簡単に行うことができる。その他、本実施例のファイルＦ２は、綴じ紐２０５によっては綴じ孔６３が破れにくく、また、綴じ紐２０５を湾曲させ易いことなど前記第１実施例のファイルＦ１と同様の作用及び効果を奏し得るので、ここでは説明を省略する。
【００２７】
（第３実施例）
本発明の第３実施例として図９及び図１０に示すファイルＦ３は、表紙３０１のファイル綴じ側の面３１１の谷折り線３１４に沿って上端部３１５、下端３１６部及びそれらの中間部における２箇所にそれぞれ綴じ具３０２を設けたものである。たたし、ここでは説明の便宜上、ファイル用紙等の長辺側を縦方向にして使用する場合におけるファイルの上下方向を設定しているが、この上下方向はファイル用紙等の長辺側を横方向にして使用する場合には左右方向として設定されるものである。
【００２８】
しかして、前記上端部３１５及び下端部３１６は、谷折り線３１４に沿ってファイル綴じ側の面３１１に貼り付けられた基部３０３と、基部３０３の前記中央部３１３側の側縁部３３１に連続して設けられ一つのガイド孔３４３を開けた挟み板部３０４と、このガイド孔３４３に対応して基部３０３の挟み板部３０４とは反対側の側縁部３３２に設けた１本の綴じ紐３０５とから構成されるものである。このような綴じ具３０２を、前記上端部３１５及び下端部３１６においてそれぞれ前記中央部３１３を挟んで対向するように設けており、相互に対向する綴じ紐３０５とガイド孔３４３とによって綴じ止め部Ｘ３を構成している。
【００２９】
また、前記中間部における２箇所に配置される綴じ具３０２も、それぞれ前記上端部３１５及び下端部３１６に配置される綴じ具３０２と同一のものであり、これを一方の谷折り線３１４に沿って設けたものである。そして、その綴じ具３０２と中央部３１３を挟んで対向する位置において、表紙１の一部をファイル綴じ側の面３１１に概略半ドーナツ形に切り起こし、この切り起こした部位をガイド孔３４５を有する挟み板部３４４としている。すなわち、この切り起こした挟み板部３４４のガイド孔３４５は、対向する前記綴じ具３０２の綴じ紐３０５とによって綴じ止め部Ｘ３を構成するものである。なお、各綴じ紐３０５の構成は、前記第１及び第２実施例のものと同様であるので、説明を省略する。
【００３０】
このような構成からなる本実施例のファイルＦ３においては、ファイルＦ３の少なくとも上端部３１５、下端部３１６に、またそれに加えてその中間部にそれぞれ綴じ止め部Ｘ３を形成しているので、ファイル用紙として例えば図１０に示すような綴じ側の縁部６１Ａに沿って綴じ孔６３Ａを有し内部に書類等を差し入れて使用される袋状の透明袋体６Ａを用いる場合に、その透明袋体６Ａの垂れ下がりを有効に防止することができる。すなわち、このような透明袋体６Ａは、通常透明な合成樹脂製の薄いものであり、その内部に書類等を入れた状態では反綴じ側の縁部側６２Ａが相対的に分厚く且つ重くなるため、比較的薄くて撓み易い綴じ側の縁部６１Ａが垂れ下がってくる傾向にある。したがって、このような透明袋体６Ａを本実施例のファイルＦ３に綴じれば、少ない綴じ止め箇所でも透明袋体６Ａの垂れ下がりを有効に防止することができることとなる。また、このファイルＦ３は前記第１及び第２実施例の各ファイルＦ１、Ｆ２と同様に、綴じ紐３０５によってファイル用紙６Ａの綴じ孔６３Ａを破る恐れが少なく、また、綴じ紐３０５を湾曲させ易く綴じ孔６３Ａやガイド孔３４３、３４５に対する抜き挿しが容易なもので、見開いた状態でのファイル用紙６Ａの出し入れを簡単に行うことができるものである。
【００３１】
なお、本発明は上記各実施例に限られず、例えば表紙の谷折り線に沿って同一の側に綴じ紐とガイド孔とからなる綴じ止め部を形成してもよいのは勿論である。その他、綴じ具の表紙に対する取り付け方など、各部の具体的構成は、上記実施例に限られるものではなく、本発明の趣旨を逸脱しない範囲で種々変形が可能である。
【００３２】
【発明の効果】
本発明は、以上説明したような形態で実施され、以下に記載されるような効果を奏する。
すなわち、本発明のファイルは、ファイル用紙等に開けた綴じ孔に綴じ紐を挿し通してそのファイル用紙等を綴じ込むようにしたものにおいて、綴じ紐を綴じ孔に抜き挿しする際に、ファイル用紙等の綴じ側の縁部に向いた綴じ紐の下向面に凸形に膨らませた湾曲部を形成しているので、綴じ孔の周縁部が綴じ紐と擦れ合っても傷つかず、ファイル用紙等の破損を有効に防止することができる。しかも、綴じ紐の上向面に肉抜き部を形成しているので、綴じ紐が全体的に分厚くなるのを防ぎ、綴じ孔への抜き挿しの際に湾曲させ易くすることもできる。したがって、このような綴じ紐を具備するファイルによれば、ファイル用紙等の出し入れを極めてスムーズに行うことができる。
【００３３】
特に、湾曲部が綴じ紐の長手方向に連続して形成した湾曲面である場合には、ファイル用紙等を多数枚綴じる場合にも、ファイル用紙等の出し入れをスムーズにすることができる。また、その湾曲面の横断面が略半円形状となるようにすれば、綴じ紐と綴じ孔との接触領域を大きく取ることができるので、綴じ孔の傷つき防止をさらに向上することが可能である。
【００３４】
さらに、肉抜き部が綴じ紐の巾方向略中央部に設けた長手方向に連続する溝である場合には、綴じ紐の湾曲させ易さをより向上できるだけでなく、長期に亘って使用しても折れ曲がり癖が付きにくい有用な綴じ紐を備えたファイル構成することができる。さらにまた、その溝の断面形状が、前記湾曲面の略半円形の断面形状と中心を共有する略半円形であれば、綴じ紐の肉厚が略均質なものとなり、綴じ紐にさらに大きい強度を付与することができる。
【００３５】
また、その上向面の側縁部に沿って所定間隔で刻み目を設けておくと、ファイル用紙等の出し入れには干渉することなく、ファイル用紙等の抜け落ちを有効に防止することができる。
以上のような構成のファイルは、表紙のファイル綴じ側の面において中央部を挟んで対向配置される上述のような綴じ紐とこの綴じ紐を挿し通し得るガイド孔とを備え、これら綴じ紐とガイド孔とにより綴じ止め部を構成して、綴じ孔及びガイド孔に綴じ紐を挿し通すことにより綴じ紐の余長でファイル用紙等を綴じるようにしたものである場合に、極めて有用なものである。すなわち、このようなファイルでは、ファイル用紙等を上方から押えて綴じる綴じ具等が不要であるので、ファイル用紙等に折り目を付けることがなく、少ない部品点数で簡単且つ確実にファイル用紙等を綴じ込むことが可能となるからである。
【００３６】
特にこのようなファイルにおいて、綴じ止め部を表紙の中央部に沿って２箇所に設け、両者の綴じ紐とガイド孔とを設ける位置が前記中央部を挟んで相互に反対側となるようにしている場合には、極めて少ない綴じ止め箇所でファイル用紙等の確実な綴じ止めが可能となる。また、この場合には、材料費を低く抑えつつ綴じ紐を比較的太いものとして綴じ紐に強度を付与し、多数のファイル用紙等を綴じてもそれらが垂れにくいものとすることが可能である。
【００３７】
また、一対の綴じ止め部を前記中央部を挟んで相互に対向するように形成し、さらにこのような一対の綴じ止め部を中央部に沿って複数設けているようなファイルでは、それぞれの綴じ止め箇所において共通の綴じ孔に一対の綴じ紐を交差させて挿し通すことができるので、より確実にファイル用紙等を綴じ込むことが可能である。しかも、ファイルを見開いた状態で、一方の綴じ紐を対向位置にある綴じ孔及びガイド孔から引き抜いても、綴じ紐を設けた側のファイル用紙等の綴じ孔にはその綴じ紐が挿し通されたままの状態にあるので、複数のファイル用紙等の綴じ孔が連続しており、再度の綴じ直し作業を非常に容易に行うことができる。
【００３８】
さらに、前記中央部において綴じ止め部を表紙の両端部に形成しているようなファイルでは、綴じ込んだ際に特に綴じ側の縁部が撓み易い透明袋体のようなものを撓みなくしっかりと綴じることが可能である。
【図面の簡単な説明】
【図１】本発明の第１実施例の使用状態を示す斜視図。
【図２】同実施例を展開状態で示す平面図。
【図３】同実施例の綴じ具を拡大して示す平面図。
【図４】同側面図。
【図５】同実施例の一部を拡大して模式的な断面図で示す作用説明図。
【図６】同作用説明図。
【図７】本発明の第２実施例を展開状態で示す平面図。
【図８】同実施例の使用状態を示す斜視図。
【図９】本発明の第３実施例を展開状態で示す平面図。
【図１０】同実施例の使用状態を示す斜視図。
【符号の説明】
１、２０１、３０１…表紙
２、２０２、３０２…綴じ具
５、２０５、３０５…綴じ紐
６、６Ａ…ファイル用紙
１１、２１１、３１１…ファイル綴じ側の面
１３、２１３、３１３…中央部
４３、２４３、３４３、３４５…ガイド孔
５３…湾曲部（湾曲面）
５４…上向面
５４ａ…側縁部
５５…肉抜き部（溝）
５６…刻み目
６１、６１Ａ…綴じ側の縁部
６２、６２Ａ…反綴じ側の縁部
６３、６３Ａ…綴じ孔
３１５、３１６…端部（上端部、下端部）
Ｆ１、Ｆ２、Ｆ３…ファイル
Ｘ１、Ｘ２、Ｘ３…綴じ止め部
ｎ…中心
【図１】
0003624770.tif 000002
【図２】
0003624770.tif 000003
【図３】
0003624770.tif 000004
【図４】
0003624770.tif 000005
【図５】
0003624770.tif 000006
【図６】
0003624770.tif 000007
【図７】
0003624770.tif 000008
【図８】
0003624770.tif 000009
【図９】
0003624770.tif 000010
【図１０】
0003624770.tif 000011